(57)【要約】 【課題】  せん断補強筋を取り付ける際の落下や位置ずれを防止してその取付作業を容易に行えるせん断補強筋の取付部材を提供することにある。【解決手段】  フープ筋を柱に取り付ける際、柱に予め立上部３を固定しておき、フープ筋のＰＣ鋼棒を取付部材の係止部材６に係止させる。従って、フープ筋の取付作業が完了するまでの間、フープ筋が落下したり、位置ずれするのを確実に防止することができ、フープ筋の取付作業を容易に行うことができる。また、係止部材６を、複数のフープ筋を上下に配置する際の設計ピッチに応じて複数個設け、各フープ筋を正確なピッチで位置決めできるようにした。【選択図】 図４
2005098103.tif 000002
【特許請求の範囲】
【請求項１】
既設のコンクリート棒状構造体に巻回してその構造体を補強するせん断補強筋の取付部材であって、前記構造体の長手方向に対して直交する方向に延出し前記構造体に固定される二条の延出部と、この延出部とは別体の線材で形成された係止部材と、を備え、この係止部材には、前記せん断補強筋が係止される腕部が設けられ、前記二条の延出部には、前記係止部材の端部がそれぞれ引き掛けられる係止孔が設けられていることを特徴とするせん断補強筋の取付部材。
【請求項２】
請求項１に記載のせん断補強筋の取付部材において、前記延出部は、前記構造体の長手方向に沿って長尺に設けられ、前記係止孔は、前記延出部の長手方向に沿って複数個設けられていることを特徴とするせん断補強筋の取付部材。
【請求項３】
請求項２に記載のせん断補強筋の取付部材において、２個以上かつ前記係止孔の数以下の前記係止部材を備え、前記係止孔は、所定間隔を空けて設けられていることを特徴とするせん断補強筋の取付部材。
【発明の詳細な説明】
【技術分野】
【０００１】
本発明は、せん断補強筋の取付部材に係り、鉄筋コンクリート（ＲＣ）構造および鉄骨鉄筋コンクリート（ＳＲＣ）構造の既設の柱や梁の補強に関する。
【背景技術】
【０００２】
従来より、建築土木の分野では、ＲＣ構造やＳＲＣ構造の構造物が多用されている。このうち、ビルディング等の建築物や、橋梁等の構造物においては、棒状の柱や梁が多く設けられることになる。
これらの柱や梁においては、棒状であるために各方向への曲げ力、せん断力を受けることになり、特に柱では同時に軸力も受けることになる。
【０００３】
このような柱や梁においては、過大な荷重を受けた際に破壊が生じることになる。このような破壊は、主に圧壊の形で現れる。
例えば、軸力が過大になると、柱の長手方向の一部が全周にわたって膨張して圧壊する。また、曲げ力が過大になると、曲げによる圧縮が生じる側で膨張が生じて圧壊に至り、反対側では引張による断裂が生じる。
【０００４】
このようなことから、コンクリート製柱梁の耐力は圧壊で決まるといえ、このためにコンクリート製柱梁の補強には圧壊を防止するための様々な手法が採られている。
そして、そのような手法としては、柱を鉄板やカーボン繊維等による繊維強化樹脂板材で囲む方法、コンクリートを増し打ちする方法、およびロッド等で柱梁の二面を緊締圧縮する方法の他、本発明の出願人によるせん断補強筋を用いた方法が提案されている（例えば、特許文献１参照）。
【０００５】
そのせん断補強筋による補強方法の一つは、図５に示すように、柱Ａの各角隅部分にせん断補強筋９０のコーナーピース９１を配置するとともに、予め引張力が導入されたＰＣ鋼棒９２を柱Ａの側面Ｂに沿って配置して各コーナーピース９１の対向面間に位置させるのであり、他の方法に比して柱の補強をより確実に行えるうえ、作業を容易かつ安価にできるというメリットがある。
【０００６】
【特許文献１】特願平９−５９２１６号公報
【発明の開示】
【発明が解決しようとする課題】
【０００７】
ところで、そのようなせん断補強筋９０の柱Ａへの取り付けは、せん断補強筋９０を柱Ａに対して位置決めした後、ＰＣ鋼棒９２の引張力を解除することで行われ、これによってせん断補強筋９０は、コーナーピース９１を介して柱Ａの側面を押圧し、その反力で柱Ａへの取付状態が維持されるようになる。従って、せん断補強筋９０を正しい位置に取り付けるためには、ＰＣ鋼棒９２から引張力を解除する作業中に補強筋９０が落下したり、位置ずれしないようにする必要がある。
【０００８】
また、せん断補強筋９０は上下に間隔を空けて複数段設けられるのが通常であるため、各せん断補強筋９０を予め設計した所定のピッチに正しく位置決めする必要があり、その位置決め作業に手間がかかるという問題ある。
【０００９】
本発明の第１の目的は、せん断補強筋を取り付ける際の落下や位置ずれを防止してその取付作業を容易に行えるせん断補強筋の取付部材を提供することにある。
【００１０】
本発明の第２の目的は、複数のせん断補強筋を所定のピッチに正しく簡単に位置決めできるせん断補強筋の取付部材を提供することにある。
【課題を解決するための手段】
【００１１】
本発明のせん断補強筋の取付部材は、既設のコンクリート棒状構造体に巻回してその構造体を補強するせん断補強筋の取付部材であって、構造体の長手方向に対して直交する方向に延出しこの構造体に固定される二条の延出部と、この延出部とは別体の線材で形成された係止部材と、を備え、この係止部材にせん断補強筋が係止される腕部を設け、二条の延出部に係止部材の端部がそれぞれ引き掛けられる係止孔を設けることを特徴とするものである。
【００１２】
また、本発明の取付部材では、延出部を構造体の長手方向に沿った長尺に設け、係止孔をその延出部の長手方向に沿って複数個設けることが望ましい。
【００１３】
さらに、係止孔を複数個設ける構成において、２個以上かつ係止孔の数以下の係止部材を備え、係止孔を所定間隔を空けて設けることが望ましい。
【発明の効果】
【００１４】
本発明の取付部材によれば、コンクリート棒状構造体に固定される延出部には、せん断補強筋を係止させる係止部材が設けられているため、せん断補強筋の取付作業中にせん断補強筋が落下したり、位置ずれするのを確実に防止でき、取付作業を容易にできるという効果がある。
【００１５】
また、係止部材が延出部の長手方向に沿って複数設けられている場合には、複数のせん断補強筋を設計されたピッチに正しく位置決めできるという効果がある。
【発明を実施するための最良の形態】
【００１６】
以下、本発明の一実施形態を図面に基づいて説明する。図１は、本発明の参考の実施形態の取付部材１が適用された状態を示す正面図、図２は、その平面図であり、図１のII−II線断面図、図３は、取付部材１を示す斜視図、図４は、本発明の一実施形態に係る取付部材を示す斜視図である。
【００１７】
取付部材１は、断面四角形の柱（コンクリート棒状構造体）Ａを補強するのに用いられる複数のフープ筋（せん断補強筋）１０を取り付けるための部材であり、柱Ａの各側面Ｂに各々配置されている。このような取付部材１は、床Ｃに立設された状態で側面Ｂに固定される部材本体２を主な構成部材としている。
【００１８】
部材本体２は、柱Ａの上下方向（長手方向）に沿って設けられた長尺部材であるとともに、側面Ｂに対して直角方向（柱Ａの長手方向に対して直交する方向）に延出した立上部３を有する断面Ｌ字状に形成され、複数のアンカースクリュー４で側面Ｂの幅方向の略中央に固定されている。
【００１９】
立上部３の上下方向の途中には、フープ筋１０の数に応じた切欠部５が所定間隔で設けられており、この切欠部５にフープ筋１０のＰＣ鋼棒１１が水平にかつ側面Ｂに沿った状態に係止されるようになっている。つまり、各切欠部５の間隔は、各フープ筋１０を配置する際の設計ピッチに対応している。
【００２０】
切欠部５は、ＰＣ鋼棒１１を係止し易いように開口側が若干広く設けられ、また、係止されたＰＣ鋼棒１１が外れ難いように上向きに開口している。
【００２１】
ところで、フープ筋１０は、各側面Ｂに沿って配置される四本の前記ＰＣ鋼棒１１と、柱Ａの各角隅部分に当接されてＰＣ鋼棒１１の端部同士を連結するコーナーピース１２とで構成されている。
【００２２】
本実施形態においては、以下のようにして柱Ａの補強を行う。
先ず、取付部材１を柱Ａの各側面Ｂに固定する。そして、四本のＰＣ鋼棒１１と四つのコーナーピース１２とを用いることにより、フープ筋１０を順次四角環状に組み立てながら柱Ａに巻回するとともに、各フープ筋１０のＰＣ鋼棒１１を取付部材１の切欠部５に係止させ、これによって各フープ筋１０を仮取付する。この際、各コーナーピース１２を各角隅部に単に接触させてもよく、ＰＣ鋼棒１１の先端の螺合量を調節することで軽く圧接させてもよい。
【００２３】
この状態において、各ＰＣ鋼棒１１に引張力を導入し、柱Ａを押圧するための圧縮力として作用させる。これにより、各フープ筋１０が柱Ａに対して本取付され、柱Ａが確実に補強される。
なお、この後、必要に応じてコンクリートを増し打ちしてもよい。
【００２４】
このような本実施形態によれば、以下のような効果がある。
（１）  フープ筋１０を柱Ａに取り付けるにあたっては、柱Ａに予め取付部材１が固定され、フープ筋１０のＰＣ鋼棒１１が取付部材１の切欠部５に係止されるため、フープ筋１０の取付作業が完了するまでの間、フープ筋１０が落下したり、位置ずれするのを確実に防止でき、フープ筋１０の取付作業を容易に行うことができる。
【００２５】
（２）  切欠部５は、複数のフープ筋１０を上下に配置する際の設計ピッチに応じて複数個設けられているため、それらのフープ筋１０を正確なピッチで簡単かつ迅速に位置決めできる。
【００２６】
（３）  取付部材１は、Ｌ字状の部材本体２や切欠部５からなる単純な構造であるため、部材本体２を板金の折り曲げ加工等によって簡単にＬ字状に形成でき、切欠部５もプレス加工等によって簡単に設けることができ、取付部材１の製作を容易かつ安価にできる。
【００２７】
（４）  切欠部５は、開口側が若干広がっているうえ、上方に向かって開口しているため、ＰＣ鋼棒１１を係止し易く、しかも外れ難くできる。
【００２８】
以上は、本発明の参考の実施形態であり、次に、本発明の一実施形態について説明する。
上述した参考の実施形態の取付部材１では、フープ筋１０を係止する構成が切欠部５として設けられていたが、本発明の一実施形態の取付部材では、フープ筋を係止する構成を図４に示すような係止部材６として設けている。すなわち、係止部材６は、ばね性を有する線材で形成されており、その両端を一旦広げる方向に弾性変形させることで、二条の延出部である立上部３に設けられた任意の係止孔７に引っ掛けるものである。
【００２９】
この取付部材では、係止孔７をより多く設けておくことにより、フープ筋を複数配置する際の様々なピッチに対し、一本の部材本体２で対応できる。
また、フープ筋のＰＣ鋼棒は、係止部材６の腕部８に係止（載置）されるため、ＰＣ鋼棒を係止させた状態からでも、係止部材６を係止孔７から外して別の係止孔７に引っ掛けることができ、ＰＣ鋼棒とコーナーピースとの連結状態を大きく緩めることなく、フープ筋の仮取付位置を上下に変更できる。
【００３０】
さらに、柱に固定される立上部３に係止部材６が引っ掛けられ、この係止部材６によりフープ筋のＰＣ鋼棒が係止されるため、参考の実施形態の（１）と同様の作用効果を奏することができる。
また、複数の係止部材６を所定間隔で係止孔７に引っ掛けることにより、参考の実施形態の（２）と同様の作用効果を奏することができる。
【００３１】
なお、本発明は、前記実施形態に限定されるものではなく、本発明の目的を達成できる他の構成等を含み、以下に示すような変形等も本発明に含まれる。例えば、前記参考の実施形態の取付部材１では、切欠部５がフープ筋１０の数に応じて複数個設けられていたが、柱Ａの各側面Ｂに固定される部材本体を短尺に設け、この部材本体に切欠部を一個だけ設けてもよい。
このような場合には、切欠部が一つのみであるから、複数のフープ筋を取り付けるにあたっては、取付部材も上下方向に沿って複数配置しなければならず、フープ筋間のピッチを出すのに手間がかかるが、その作業中において、フープ筋の落下等を防止できることに変わりはない。
そして、このような部材本体を短尺に設ける構成を図４に示すような本発明の部材本体に適用しても、フープ筋の落下等を防止できることに変わりはなく、前記第１の目的を達成できる。
【００３２】
前記参考の実施形態では、取付部材１は、フープ筋１０を柱Ａの下方側（床Ｃ側）に取り付けるのに用いられていたが、参考の実施形態の取付部材は、部材本体が長尺あるいは短尺のいずれの場合であっても、フープ筋を上方側（天井側）に取り付けるのにも適用可能である。また、本発明の取付部材も、フープ筋を上方側（天井側）に取り付けるのにも適用可能である。
【００３３】
さらに、前記参考の実施形態では、フープ筋１０のＰＣ鋼棒１１には予め引張力が導入されるようになっていたが、そのようなＰＣ鋼棒としては、例えば、引張力が導入されないＰＣ鋼棒であってもよい。このような場合には、ボルトを締め付ける要領でＰＣ鋼棒を操作することにより、フープ筋を柱に同様に取付可能であるとともに、締め付けるに従って柱に対して徐々に圧縮力を付与できる。また、本発明の取付部材で係止されるＰＣ鋼棒として、上述した引張力が導入されないＰＣ鋼棒を適用してもよい。
【００３４】
さらに、本発明に係るコンクリート棒状構造体やせん断補強筋としては、柱やフープ筋に限らず、梁やスターラップであってもよい。
この際、フープ筋やスターラップ自身の構造は、ＰＣ鋼棒やコーナーピースから構成されたものに限定されず、既設の柱や梁に巻回できる構造であれば任意である。
【図面の簡単な説明】
【００３５】
【図１】本発明の参考の実施形態の取付部材が適用された状態を示す正面図である。
【図２】前記参考の実施形態の平面図であり、図１のII−II線断面図である。
【図３】前記取付部材を示す斜視図である。
【図４】本発明の一実施形態に係る取付部材を示す斜視図である。
【図５】本発明の背景技術を説明するための平断面図である。
【符号の説明】
【００３６】
３  延出部としても機能する立上部
６  係止部材
７  係止孔
８  腕部
１０  せん断補強筋であるフープ筋
Ａ  コンクリート棒状構造体である柱
【図１】
2005098103.tif 000003
【図２】
2005098103.tif 000004
【図３】
2005098103.tif 000005
【図４】
2005098103.tif 000006
【図５】
2005098103.tif 000007